【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
印刷ヘッドを主走査方向に主走査しつつ印刷媒体上にドットを形成する印刷部を用いて印刷を行うために、与えられた画像データを処理して前記印刷部に供給すべき印刷データを生成する印刷制御装置であって、
前記画像データは、前記画像データの印刷に使用される印刷モードを指定するための印刷モード情報を含み、
前記印刷制御装置は、
前記画像データを処理することにより、印刷画像における各画素のドットの形成状態を表すドットデータを生成するドットデータ生成部と、
前記ドットデータと前記印刷モード情報とに応じて、各主走査時のドットの記録状態を表すラスタデータと、各主走査の合間に行われる副走査送り量を表す副走査送りデータとを含む印刷データを、前記印刷モード情報により指定された印刷モードに従って前記印刷部に印刷を実行させる構成を有するように生成する印刷データ生成部と、
を備えることを特徴とする、印刷制御装置。
【請求項２】
請求項１記載の印刷制御装置であって、
前記画像データは、主走査方向に平行な区分線で複数の領域に区分けされているとともに、前記複数の領域のうちの各領域の印刷に使用される印刷モードを指定するための印刷モード情報を含み、
前記印刷データ生成部は、前記ドットデータと前記印刷モード情報とに応じて、前記印刷データを、前記印刷モード情報により指定された各領域の印刷モードに従って各領域を前記印刷部に印刷を実行させる構成を有するように生成する、印刷制御装置。
【請求項３】
請求項２記載の印刷制御装置であって、
前記区分けされた複数の領域は、写真を表示するための写真領域とテキストを表示するためのテキスト領域とを含み、
前記印刷データ生成部は、前記印刷モード情報に応じて、前記写真領域に属する主走査ラインを、前記テキスト領域に属する主走査ラインよりも多い主走査で形成するように印刷データを生成する、印刷制御装置。
【請求項４】
請求項２または３に記載の印刷制御装置であって、
前記印刷部は、主走査の往動時および復動時の双方で印刷を行う双方向印刷機能を有し、
前記区分けされた複数の領域は、主走査の往動時または復動時の一方で印刷を行うべき単方向印刷領域と、主走査の往動時および復動時の双方で印刷を行うことが許容される双方向印刷領域とを含み、
前記印刷データ生成部は、前記印刷モード情報に応じて、前記双方向印刷領域に属する主走査ラインのみを記録する場合には、主走査を往動時および復動時の双方で行い、少なくとも一部のノズルが前記単方向印刷領域に属する主走査ラインを記録する場合には、主走査を往動時または復動時の一方で行うための印刷データを生成する、印刷制御装置。
【請求項５】
請求項２ないし４のいずれかに記載の印刷制御装置であって、
前記区分けされた複数の領域は、写真を表示するための写真領域とテキストを表示するためのテキスト領域とを含み、
前記印刷データ生成部は、前記印刷モード情報に応じて、前記テキスト領域に属する主走査ラインを、前記写真領域に属する走査ラインよりも高い解像度で形成するように印刷データを生成する、印刷制御装置。
【請求項６】
請求項２ないし４のいずれかに記載の印刷制御装置であって、
前記区分けされた複数の領域は、写真を表示するための写真領域とテキストを表示するためのテキスト領域とを含み、
前記印刷データ生成部は、前記印刷モード情報に応じて、前記写真領域に属する主走査ラインを、前記テキスト領域に属する主走査ラインよりも多い階調数で形成するように印刷データを生成する、印刷制御装置。
【請求項７】
印刷媒体上にドットを形成することによって印刷を行う印刷装置であって、
印刷ヘッドを主走査方向に主走査しつつ印刷媒体上にドットを形成する印刷部と、
請求項２ないし６のいずれかに記載の印刷制御装置と、
を備える印刷装置。
【請求項８】
印刷ヘッドを主走査方向に主走査しつつ印刷媒体上にドットを形成するインクジェット印刷方法であって、
（ａ）与えられた印刷対象画像の印刷に使用される印刷モードを指定する工程と、
（ｂ）前記印刷対象画像を表すデータと、前記印刷対象画像の印刷に使用される印刷モードを指定するための印刷モード情報と、を用いて画像データを生成する工程と、
（ｃ）前記画像データに応じて、前記印刷モード情報により指定された印刷モードに従って印刷を実行する工程と、
を備えることを特徴とする印刷方法。
【請求項９】
印刷ヘッドを主走査方向に主走査しつつ印刷媒体上にドットを形成する印刷部を用いて印刷を行うために、前記印刷部に供給すべき印刷データを生成する印刷制御方法であって、
印刷対象画像を表す画像データであって、前記画像データの印刷に使用される印刷モードを指定するための印刷モード情報を含む画像データを準備する工程と、
前記画像データを処理することにより、印刷画像における各画素のドットの形成状態を表すドットデータを生成する工程と、
前記ドットデータと前記印刷モード情報とに応じて、各主走査時のドットの記録状態を表すラスタデータと、各主走査の合間に行われる副走査送り量を表す副走査送りデータとを含む印刷データを、前記印刷モード情報により指定された印刷モードに従って前記印刷部に印刷を実行させる構成を有するように生成する工程と、
を備えることを特徴とする、印刷制御方法。
【請求項１０】
印刷ヘッドを主走査方向に主走査しつつ印刷媒体上にドットを形成する印刷部を用いて印刷を行うために、与えられた画像データを処理して前記印刷部に供給すべき印刷データを生成するためのコンピュータプログラムであって、
前記画像データは、前記画像データの印刷に使用される印刷モードを指定するための印刷モード情報を含み、
前記コンピュータプログラムは、
前記画像データを処理することにより、印刷画像における各画素のドットの形成状態を表すドットデータを生成する機能と、
前記ドットデータと前記印刷モード情報とに応じて、各主走査時のドットの記録状態を表すラスタデータと、各主走査の合間に行われる副走査送り量を表す副走査送りデータとを含む印刷データを、前記印刷モード情報により指定された印刷モードに従って前記印刷部に印刷を実行させる構成を有するように生成する機能と、
を前記コンピュータに実現させるプログラムを含むコンピュータプログラム。
【請求項１１】
印刷ヘッドを主走査方向に主走査しつつ印刷媒体上にドットを形成する印刷装置に供給すべき画像データを生成する画像データ生成方法であって、
（ａ）与えられた印刷対象画像の印刷に使用される印刷モードを指定する工程と、
（ｂ）前記印刷対象画像を表すデータと、前記印刷対象画像の印刷に使用される印刷モードを指定するための印刷モード情報と、を用いて画像データを生成する工程と、
を備えることを特徴とする画像データ生成方法。
【請求項１２】
請求項１１記載の画像データ生成方法であって、
前記工程（ａ）は、
前記印刷対象画像を主走査方向に平行な区分線で複数の領域に区分けする工程と、
前記区分けされた各領域の印刷に使用される印刷モードを指定する工程と、
を含む、画像データ生成方法。
【請求項１３】
請求項１２記載の画像データ生成方法であって、
前記工程（ａ）は、前記区分線で複数の領域に区分けされている各領域に対して、前記各領域毎に予め指定された種類のみの画像の入力を、ユーザに許容する工程を含む、画像データの生成方法。
【請求項１４】
請求項１２または１３に記載の画像データ生成方法であって、
前記工程（ａ）は、前記区分線の数、前記区分線の副走査方向の位置、および前記指定の少なくとも１つが異なる複数種類の定型フォームの中からの選択をユーザに許容する工程を含む、画像データ生成方法。
【請求項１５】
印刷ヘッドを主走査方向に主走査しつつ印刷媒体上にドットを形成する印刷装置に供給すべき画像データをコンピュータに生成させるためのコンピュータプログラムであって、
前記コンピュータプログラムは、
与えられた印刷対象画像の印刷に使用される印刷モードを指定する機能と、
前記印刷対象画像を表すデータと、前記指定された印刷モードで印刷するための情報と、を用いて画像データを生成する機能と、
を前記コンピュータに実現させるプログラムを含み、
前記印刷装置は、
前記画像データを処理することにより、印刷画像における各画素のドットの形成状態を表すドットデータを生成するドットデータ生成部と、
前記ドットデータと前記印刷モード情報とに応じて、各主走査時のドットの記録状態を表すラスタデータと、各主走査の合間に行われる副走査送り量を表す副走査送りデータとを含む印刷データを、前記印刷モード情報により指定された印刷モードに従って前記印刷部に印刷を実行させる構成を有するように生成する印刷データ生成部と、
前記印刷データに応じて、前記印刷ヘッドを主走査方向に主走査しつつ前記印刷媒体上にドットを形成する印刷部と、
を備えるコンピュータプログラム。
【請求項１６】
請求項１０または１５に記載のコンピュータプログラムを記録したコンピュータ読み取り可能な記録媒体。